(57)【特許請求の範囲】
【請求項１】
ｅＮＢであって、
ユーザ機器（ＵＥ）と発展型ユニバーサル地上無線アクセスネットワーク（Ｅ−ＵＴＲＡＮ）との間の第１の接続を提供するための通信モジュールと、
前記ｅＮＢが前記ＵＥと前記Ｅ−ＵＴＲＡＮとの間の前記第１の接続を提供している間、前記ＵＥと無線ローカルエリアネットワーク（ＷＬＡＮ）との間の第２の接続を提供するための通信装置へ、前記ＷＬＡＮの負荷情報を要求するメッセージを送信し、
前記通信装置から前記要求した負荷情報を受信し、
前記通信装置から、前記ＷＬＡＮのチャネルおよび／または周波数帯域の少なくとも１つを特定するＷＬＡＮ情報を受信する、
ように構成されたコントローラと、
を備えるｅＮＢ。
【請求項２】
前記負荷情報は、前記通信装置によってサーブされるいくつかのＵＥを特定する情報を含む、請求項１に記載のｅＮＢ。
【請求項３】
前記負荷情報は、前記通信装置の利用可能な能力を特定する情報を含む、請求項１に記載のｅＮＢ。
【請求項４】
通信装置であって、
ユーザ機器（ＵＥ）と無線ローカルエリアネットワーク（ＷＬＡＮ）との間の第１の接続を提供するための通信モジュールと、
前記通信装置が前記ＵＥと前記ＷＬＡＮとの間の前記第１の接続を提供している間、前記ＵＥと発展型ユニバーサル地上無線アクセスネットワーク（Ｅ−ＵＴＲＡＮ）との間の第２の接続を提供するためのｅＮＢから、前記ＷＬＡＮの負荷情報を要求する要求メッセージを受信し、
前記要求メッセージに従って前記ｅＮＢへ前記負荷情報を送信し、
前記ｅＮＢへ、前記ＷＬＡＮのチャネルおよび／または周波数帯域の少なくとも１つを特定するＷＬＡＮ情報を送信する、
ように構成されたコントローラと、
を備える通信装置。
【請求項５】
ユーザ機器（ＵＥ）と発展型ユニバーサル地上無線アクセスネットワーク（Ｅ−ＵＴＲＡＮ）との間の第１の接続を提供するための通信モジュールを備えるｅＮＢによって実行される方法であって、
前記ｅＮＢが前記ＵＥと前記Ｅ−ＵＴＲＡＮとの間の前記第１の接続を提供している間、前記ＵＥと無線ローカルエリアネットワーク（ＷＬＡＮ）との間の第２の接続を提供するための通信装置へ、前記ＷＬＡＮの負荷情報を要求するメッセージを送信し、
前記通信装置から前記要求した負荷情報を受信し、
前記通信装置から、前記ＷＬＡＮのチャネルおよび／または周波数帯域の少なくとも１つを特定するＷＬＡＮ情報を受信する、
方法。
【請求項６】
ユーザ機器（ＵＥ）と無線ローカルエリアネットワーク（ＷＬＡＮ）との間の第１の接続を提供するための通信モジュールを備える通信装置によって実行される方法であって、
前記通信装置が前記ＵＥと前記ＷＬＡＮとの間の前記第１の接続を提供している間、前記ＵＥと発展型ユニバーサル地上無線アクセスネットワーク（Ｅ−ＵＴＲＡＮ）との間の第２の接続を提供するためのｅＮＢから、前記ＷＬＡＮの負荷情報を要求する要求メッセージを受信し、
前記要求メッセージに従って前記ｅＮＢへ前記負荷情報を送信し、
前記ｅＮＢへ、前記ＷＬＡＮのチャネルおよび／または周波数帯域の少なくとも１つを特定するＷＬＡＮ情報を送信する、
方法。
【請求項７】
請求項１に記載の前記ｅＮＢと請求項４に記載の前記通信装置とを備える、システム。
【発明の詳細な説明】
【技術分野】
【０００１】
本発明は、セルラ又は無線遠距離通信ネットワークにおける無線アクセスネットワークに関し、特に、排他的ではないが、３ＧＰＰ標準規格またはその均等物若しくは派生物にしたがって動作するネットワークに関する。本発明は、排他的ではないが、特に、ＵＴＲＡＮ（発展型ユニバーサル地上無線アクセスネットワーク（Ｅ−ＵＴＲＡＮ）と呼ばれる）のロングタームエボリューション（ＬＴＥ）、及びＬＴＥ無線技術と非ＬＴＥ無線技術との両方に従い動作するデュアルモード基地局の動作に関連する。
【背景技術】
【０００２】
セルラネットワークにおいて、移動デバイス（携帯電話機のような、ユーザ機器（ＵＥ）または移動端末）は、基地局を通じて遠隔サーバ又は他の移動デバイスと通信する。ＬＴＥ基地局は、また、エンハンストノードＢとして知られており、エンハンストパケットコア（ＥＰＣ）ネットワークとして知られているＬＴＥコアネットワークに接続されている。
【０００３】
これらの相互通信において、ＬＴＥ移動デバイスと基地局とは認可された無線周波数を使用し、その無線周波数は、典型的に複数の周波数帯域及び／又は時間ブロックに分割されている。種々の基準（送信すべきデータ量、移動デバイスによってサポートされる無線技術、期待されるサービスの質、予約設定、など）に依存して、各基地局は、その基地局に所属する移動デバイスによって採用されている、送信タイミング、周波数、送信電力、変調などを制御するための責任を負う。サービスの中断を最小化し、かつ利用可能な帯域幅の利用を最大化するために、基地局は、それら自身の送信電力と移動デバイスの送信電力とを継続的に調整する。基地局はまた、周波数帯域及び／又はタイムスロットを移動デバイスに割り当て、また、基地局と所属する移動デバイスとの間で使用される適切な送信技術を選択して実行する。そうすることで、基地局はまた、移動デバイスによって相互に引き起こされ又は基地局に引き起こされる、有害な干渉を減少し又は除去する。
【０００４】
現在の移動デバイスは、典型的には、ＬＴＥだけでなく、多数の無線技術をサポートする。移動デバイスは、例えば、ブルートゥース又はＷｉ−Ｆｉトランシーバのような、産業、科学及び医療用（ＩＳＭ）無線帯域で動作する、トランシーバ及び／又は受信機を含んでよい。用語「ブルートゥース」は、ブルートゥーススペシャルインタレストグループによって発展させられた標準規格を引用し、用語「Ｗｉ−Ｆｉ」は、米国電気電子学会（ＩＥＥＥ）によって発展させられた標準規格の８０２．１１ファミリーを引用する。そのような非ＬＴＥ通信技術がサポートされているならば、ＬＴＥ基地局を介する通信の代わりに、移動デバイスは、非ＬＴＥ通信手段を用いて、例えば、適切なＩＳＭ通信技術を用いて、遠隔サーバや他の移動デバイスと通信することもできる。たとえば、移動デバイスは、米国電気電子学会（ＩＥＥＥ）による標準規格の８０２．１１ファミリーに従って動作するアクセスポイント（例えば、Ｗｉ−Ｆｉ  ＡＰ）を介して通信してもよい。
【０００５】
最近、ＬＴＥホーム基地局（ＨｅＮＢ）部（例えば、ピコ／フェムト基地局又は他の低電力ノード）と非ＬＴＥアクセスポイント部（例えば、Ｗｉ−Ｆｉ  ＡＰ）とを含む、いわゆる「デュアルモード」基地局が導入された。そのような複合ＨｅＮＢ／ＡＰ基地局は、デュアルモードフェムトアクセスポイント（ＦＡＰ）またはデュアルＦＡＰと呼ばれることもある。
【０００６】
ＩＳＭ及び他の無線技術（以下、ともに非ＬＴＥ技術と呼ぶ）は、図１２に示すように、ＬＴＥ周波数帯域に近い周波数帯域又は部分的に重なる、周波数帯域を使用する。これらの非ＬＴＥ周波数帯域のいくつかは、特定の使用（例えば、全地球測位システム（ＧＰＳ））のために認可されるか、非認可帯域であって、いくつかの無線技術（ＩＳＭ周波数帯域と同じ範囲を使用するブルートゥース及びＷｉ−Ｆｉ標準規格のような）で使用され得る。それゆえ、これらの非ＬＴＥ周波数帯域が使用される方法は、ＬＴＥ標準規格によってはカバーされず、ＬＴＥ基地局（例えば、デュアルＦＡＰのＨｅＮＢ）によって制御されない。しかしながら、非ＬＴＥ周波数帯域の送信は、それでもなお、ＬＴＥ帯域における送信に、特に重なっているかまたは隣接している周波数帯域における送信に、望ましくない干渉をもたらす（または、送信から望ましくない干渉を受ける）。
【０００７】
特に、そのような望ましくない干渉は、少なくとも以下のシナリオにおいて、ＬＴＥ無線通信と非ＬＴＥ（ＩＳＭ）無線通信との間で経験される。 
・ＩＳＭ無線受信機に干渉を引き起こすＬＴＥバンド４０／４１無線送信機；
・ＬＴＥバンド４０／４１無線受信機に干渉を引き起こすＩＳＭ無線送信機；
・ＩＳＭ無線受信機に干渉を引き起こすＬＴＥバンド７無線送信機；
・ＬＴＥバンド７無線受信機に干渉を引き起こすＩＳＭ無線送信機；及び
・ＧＰＳ無線受信機に干渉を引き起こすＬＴＥバンド７／１３／１４無線送信機。
【０００８】
そのような望ましくない干渉が、同一の移動デバイスにおいて又は同一の基地局において同時に起きる通信の結果（例えば、ＬＴＥ無線技術と非ＬＴＥ無線技術との同時使用の結果）として生じるとき、この干渉は、「デバイス内共存（ＩＤＣ）状態」を引き起こす「デバイス内共存（ＩＤＣ）干渉」と呼ばれることがある。
【０００９】
ＩＤＣ干渉による問題を軽減できるようにするために、移動デバイスは、それ自身で、もし移動デバイス自身でＩＤＣ問題を解決できないときはそれに仕える基地局の支援で、そのようなＩＤＣ問題への対処を試みるように構成されてよい。たとえば、ＩＤＣ問題は、基地局によって移動デバイスのために異なる周波数を選択すること（ＦＤＭ解決策）、その送信の形式を変更（例えば、不連続受信（ＤＲＸ）の適用及び／又はサブフレームパターンの変更）すること（ＴＤＭ解決策）、及び／又は基地局の（及び／又は移動デバイスの）送信電力を調整すること（電力制御解決策）、によって処理されてよい。
【００１０】
本発明者らは、ＬＴＥ通信技術と非ＬＴＥ通信技術との両方によって使用される（隣接する又は重なる）周波数帯域のいくつかにおいて直面する潜在的に深刻な干渉のせいで、そのようなデュアルＦＡＰのＬＴＥ部と非ＬＴＥ部との両方の同時動作において、困難が生じることに気づいた。
【００１１】
そのような困難は、同一のネットワークノードの一部として、ＬＴＥ基地局と非ＬＴＥアクセスポイントとの両方を備えている、デュアルＦＡＰに関して特に生じやすい。この場合において、上述の（ＦＤＭ／ＴＤＭ／電力制御）解決策は、（デュアルＦＡＰの）ＬＴＥ基地局の動作における何らかの変化が、デュアルＦＡＰのアクセスポイントを使用する通信へ、予期しない干渉をさらに引き起こす（引き起こし続ける）かもしれなので、いつも適用可能というわけではない。
【００１２】
本発明者らはまた、ＬＴＥ基地局と、ＬＴＥが派生する以前の標準規格に従って動作する他の基地局との何らかの動作を、例えば、そのような関係の標準規格間の固有の後進的な互換性のために、協調させることができる一方で、ＬＴＥ基地局と非ＬＴＥアクセスポイントとの両方を備えるデュアルＦＡＰに最適な通信特性（例えば、信号品質、エラーレート、干渉レベル）を補償することは、ＬＴＥ部と非ＬＴＥ部との動作の相違のせいで、特に困難であることに、気づいた。
【発明の概要】
【発明が解決しようとする課題】
【００１３】
それゆえ、上記問題を克服するか少なくとも軽減するために、移動デバイスとデュアルＦＡＰとの動作を改良する必要がある。本発明の実施形態は、通信ネットワークにおける干渉を軽減する（故にデータスループットを改良する）ための、特に、デュアルＦＡＰを介する送信への又は送信による無線干渉を軽減するための、改良された技術を提供するのをめざしている。
【課題を解決するための手段】
【００１４】
一態様において、本発明は、少なくとも一つの移動通信デバイスに対して、第１の通信プロトコルを用いて、通信ネットワークにおける無線接続を提供するための基地局モジュールと；前記少なくとも一つの移動通信デバイスに対して、第２の通信プロトコルを用いて、通信ネットワークにおける無線接続を提供するためのアクセスポイントモジュールと；前記基地局モジュールと前記アクセスポイントモジュールを連結するためのインタフェースであって、前記基地局モジュールと前記アクセスポイントモジュールの間の通信用に構成された、前記インタフェースと；を備えた通信装置であって、前記基地局モジュールと前記アクセスポイントモジュールとは、前記インタフェースを介して通信することにより互いに連携動作を行うように構成され、前記基地局モジュールと前記アクセスポイントモジュールとの少なくとも一方は、前記通信装置において、前記基地局モジュールと前記アクセスポイントとの共存により生じる干渉を軽減するための少なくとも一つの動作を、前記連携動作の一部として、実行するように構成された、通信装置を提供する。
【００１５】
一態様において、本発明は、ｉ）少なくとも一つの移動通信デバイスに対して、第１の通信プロトコルを用いて、通信ネットワークにおける無線接続を提供するための基地局モジュールと；ｉｉ）前記少なくとも一つの移動通信デバイスに対して、第２の通信プロトコルを用いて、通信ネットワークにおける無線接続を提供するためのアクセスポイントモジュールと；ｉｉｉ）前記基地局モジュールと前記アクセスポイントモジュールを連結するためのインタフェースと；を備えた通信装置であって、前記インタフェースが、前記基地局モジュールと前記アクセスポイントモジュールの間の通信用に構成された、前記通信装置により実行される方法であって、前記基地局モジュールと前記アクセスポイントモジュールとは、前記インタフェースを介して通信することにより互いに連携動作を行い、前記基地局モジュールと前記アクセスポイントモジュールの少なくとも一方は、前記通信装置において、前記基地局モジュールと前記アクセスポイントとの共存により生じる干渉を軽減するための少なくとも一つの動作を、前記連携動作の一部として、実行することを含む、通信装置により実行される方法を提供する。
【００１６】
一態様において、本発明は、少なくとも一つの移動通信デバイスと、上記通信装置とを含む、遠距離通信ネットワーク用のシステムを提供する。
【００１７】
本発明の一態様は、複数の命令が格納されたコンピュータ読取り可能な記憶媒体のようなコンピュータプログラム製品にまで拡張し、そのコンピュータプログラム製品は、プログラム可能なプロセッサが上記又は請求の範囲で説明された態様及び可能性の集合において記述されたような方法を実施するようにプログラムし、及び／又は、適切に採用されたコンピュータが請求の範囲のいずれかにおいて説明された装置を提供するようにプログラムするように動作可能である。
【図面の簡単な説明】
【００１８】
【図１】本発明が適用されるタイプの移動遠距離通信システムを概略的に示す図である。
【図２】図１の移動遠距離通信システムの一部を形成するいくつかの構成要素の間の関係を概略的に示す図である。
【図３】図１に示される移動遠距離通信システムの移動デバイスに備えられる様々な無線トランシーバ回路を概略的に示す図である。
【図４】図１に示される移動遠距離通信システムの基地局に備えられる様々な無線トランシーバ回路を概略的に示す図である。
【図５】図１に示される移動遠距離通信システムの一部を形成する移動デバイスのブロック図である。
【図６】図１に示される移動遠距離通信システムの一部を形成するホーム基地局のブロック図である。
【図７】図１に示される移動遠距離通信システムの一部を形成するアクセスポイントのブロック図である。
【図８ａ】図１に示される移動遠距離通信システムの一部を形成するノードによって実施される様々な方法を示す代表的なタイミング図である。
【図８ｂ】図１に示される移動遠距離通信システムの一部を形成するノードによって実施される様々な方法を示す代表的なタイミング図である。
【図９ａ】図１に示される移動遠距離通信システムの一部を形成するノードによって実施される様々な方法を示す代表的なタイミング図である。
【図９ｂ】図１に示される移動遠距離通信システムの一部を形成するノードによって実施される様々な方法を示す代表的なタイミング図である。
【図１０ａ】図１に示される移動遠距離通信システムの一部を形成するノードによって実施される様々な方法を示す代表的なタイミング図である。
【図１０ｂ】図１に示される移動遠距離通信システムの一部を形成するノードによって実施される様々な方法を示す代表的なタイミング図である。
【図１０ｃ】図１に示される移動遠距離通信システムの一部を形成するノードによって実施される様々な方法を示す代表的なタイミング図である。
【図１１】図１に示される移動遠距離通信システムの一部を形成するノードによって実施される様々な方法を示す代表的なタイミング図である。
【図１２】同一の基地局におけるＬＴＥ技術と非ＬＴＥ技術との存在により生じる干渉によって影響を受けるかもしれない、いくつかの周波数帯域とチャネルとを示す図である。
【発明を実施するための形態】
【００１９】
概要
図１は、移動デバイス３（例えば、携帯電話機３−１〜３−３）のユーザが、一つ以上の基地局５とコアネットワーク７とを介して、他のユーザと通信することができる移動（セルラ）遠距離通信システム１を概略的に示す。図１に示されるシステムにおいて、基地局５は、デュアルモード基地局（デュアルＦＡＰ）であり、それは、ＬＴＥホーム基地局（ＨｅＮＢ）部５−１（例えば、ピコ／フェムト基地局又は他の低電力ノード）と、非ＬＴＥアクセスポイント（ＡＰ）部５−２（例えば、Ｗｉ−Ｆｉ  ＡＰ）とを含む。ＨｅＮＢ部５−１とＡＰ部５−２とは、２つの物理的に分離されたユニットとして実現されてもよいけれども、この例において、ＨｅＮＢ部５−１とＡＰ部５−２とは共同設置される（及び、故にこれらは少なくともいくつかのハードウェアコンポーネント及び／又はソフトウェアコンポーネントを共有する）。適切な専用のインタフェース（例えば、内部インタフェース又は外部インタフェース）が、ＨｅＮＢ部５−１とＡＰ部５−２との間の通信のために用意される。ＨｅＮＢ部５−１とＡＰ部５−２との間の関係（及びその間に用意される通信リンク）と様々な関連するネットワークノードとについてのさらなる詳細が図２に示されている。
【００２０】
ＨｅＮＢ部５−１及びＡＰ部５−２の両方は、少なくとも一つのセル（不図示）を運営し、各セルは、移動デバイス３とデュアルＦＡＰ５（即ち、ＨｅＮＢ部５−１及び／又はＡＰ部５−２）との間の無線通信に利用できる多数のアップリンク（ＵＬ）及びダウンリンク（ＤＬ）通信リソース（チャネル、サブキャリア、タイムスロット等）を有している。この例において、デュアルＦＡＰ５によって使用される無線アクセス技術（ＲＡＴｓ）は、周波数分割複信（ＦＤＤ）又は時分割複信（ＴＤＤ）のいずれかに従い動作する。ＴＤＤにおいて、通信チャネルのタイムドメインは、デュアルＦＡＰ５へ／からの通信がスケジュールされ得る、固定長のいくつかの周期的なタイムスロットに分割される。ＴＤＤにおける動作において、２以上のデータストリームは、各データストリームをそのチャネルの異なるタイムスロット（実質上、交互に）にスケジューリングすることによって、デュアルＦＡＰ５（例えば、ＨｅＮＢ部５−１）と（一つ以上の）移動デバイス３との間で、明らかに同時に、一つの通信チャネルの複数のサブチャネルにおいて、転送される。ＦＤＤにおいて、基地局において利用可能な帯域幅は、一連の重なりのない周波数サブバンドに分割され、各サブバンドは、デュアルＦＡＰ５を介して通信する（一つ以上の）移動デバイス３に割り当てられる周波数リソースを有する。
【００２１】
この例において、第１の移動デバイス３−１は、ＨｅＮＢ部５−１とＡＰ部５−２との両方に接続される一方、第２の移動デバイス３−２は、ＨｅＮＢ部５−１のみに接続され、また第３の移動デバイス３−３は、ＡＰ部５−２のみに接続されている。この特定の配置は、単に例示として図１に示されているが、互換性のある複数の移動デバイス３が、それらの互換性、適用できる構成、及び／又は本発明の範囲外にあるネットワーク状態に依存して、ＨｅＮＢ部５−１及びＡＰ部５−２のいずれか一方又は両方に接続できることが理解されるだろう。
【００２２】
理解されるように、少なくとも移動デバイス３−１及び３−３は、産業、科学及び医療用（ＩＳＭ）周波数帯域のリソースを使用するような、非ＬＴＥ無線技術を使用して通信することが可能である。この例において、移動デバイス３−１及び３−３は、米国電気電子学会（ＩＥＥＥ）によって規定される標準規格８０２．１１ファミリーの一つ（Ｗｉ−Ｆｉ）に従い動作する、デュアルＦＡＰ５のＡＰ部５−２と通信できる。図１には示されていないけれども、移動デバイス３の各々は、また、他の非ＬＴＥトランシーバ、例えば、ブルートゥーススペシャルインタレストグループ（ＳＩＧ）によって規定されるブルートゥース標準規格に従って動作する無線ヘッドセットと通信でき、及び／又は測位技術をサポートすることができ、それゆえ、例えば、ＧＰＳ信号を使用する測位衛星と通信することができる。
【００２３】
（一つ以上の）移動デバイス３とＡＰ部５−２との間の（及び、もしかすると移動デバイス３と他の非ＬＴＥトランシーバとの間の）通信が、（一つ以上の）移動デバイス３とＨｅＮＢ部５−１との間の通信と実質的に同時に起こるかもしれず、同時通信は、望まない干渉（即ち、ＩＤＣ干渉）を引き起こす可能性がある。
【００２４】
ＩＤＣ干渉の問題はさらに図３に示されており、図３は、図１に示される移動デバイス３に備えられる様々な無線トランシーバ回路を、単に例示として概略的に示している。また、図４は、図１に示されるデュアルＦＡＰ５に備えられる様々な無線トランシーバ回路を、単に例示として概略的に示している。
【００２５】
図３に示されるように、移動デバイス（例えば、移動デバイス３−１）は、ＬＴＥベースバンド回路３０ａ、ＧＰＳベースバンド回路３０ｂ、及びＩＳＭベースバンド回路３０ｃを有する。各ベースバンド回路３０ａ〜３０ｃは、無線周波数（ＲＦ）トランシーバ（又は受信機）、即ち、ＬＴＥトランシーバ３１ａ、ＧＰＳトランシーバ３１ｂ、及びＩＳＭトランシーバ３１ｃにそれぞれ接続されている。ＬＴＥバンドにおける通信は、ＬＴＥアンテナ３３ａを用いて行われる。同様に、非ＬＴＥバンドにおける通信は、それぞれＧＰＳアンテナ３３ｂ及び／又はＩＳＭアンテナ３３ｃを用いて行われる。
【００２６】
図３に破線矢印で示すように、トランシーバ３１ａ−３１ｃのいずれも、同一の移動デバイス３において動作する他のトランシーバのどれか一つからの干渉を受ける。同様に、図４に破線矢印で示すように、基地局５のトランシーバ５１−１及び５１−２はまた、互いからの（及び／又は移動デバイス３のトランシーバ３１ａ−３１ｃからの）干渉を受ける。
【００２７】
図１に戻ると、デュアルＦＡＰ５は、そのようなデバイス内共存（ＩＤＣ）干渉をいくらかでも軽減するのに役立つように構成されている。特に、ＨｅＮＢ部５−１とＡＰ部５−２とは、例えば、それらの間に設けられた専用のインタフェース１００（例えば、ＨｅＮＢ部５−１とＡＰ部５−２との間に直接設けられたインタフェース、及び／又は、一つ以上のゲートウェイ及び／又はコアネットワーク７を介して設けられた接続のような外部接続の使用）を用いて情報を交換することにより、それらの動作が協調するように構成される。
【００２８】
特に、ＨｅＮＢ部５−１及びＡＰ部５−２は、一つ以上の以下の機能に関する情報を交換することにより、（継続中の／潜在的な）ＩＤＣ干渉を軽減するように、互いに作用し合うように構成される。 
・干渉管理；
・電力制御；
・キャリア周波数再選択；
・省エネルギー；
・無線送信状態（例えば、オン／オフ）；及び
・負荷バランシング。
【００２９】
例えば、上記情報のいくつかを交換することにより、デュアルＦＡＰ５は、ＬＴＥバンド４０におけるＩＤＣ干渉（ＩＳＭ帯域の低い部分において、ＬＴＥバンド４０へ又はその反対に、送信によって引き起こされる）を有益に軽減できる。この場合において、以下の一つ以上の解決策がデュアルＦＡＰ５によって適用され得る。
【００３０】
i）ＨｅＮＢ部５−１は、ＩＳＭ帯域の低い部分（例えば、ＩＳＭチャネル１〜３）に近いチャネルを一つ以上使用しないように、即ち、可能であれば他のチャネルを選択するように、ＡＰ部５−２に求める；
ii）ＡＰ部５−２とＷｉ−Ｆｉ可能移動デバイス３のような共存しているＷｉ−Ｆｉデバイスが、ＬＴＥバンド４０に近い一つ以上のＩＳＭチャネルを使用するとき、ＨｅＮＢ部５−１は、アップリンク及びダウンリンクの両方において、ＬＴＥバンド４０の高い部分（即ち、ＩＳＭチャネル１に近い領域）におけるＰＲＢｓのスケジュールを禁止（回避）する。 
iii）ＨｅＮＢ部５−１は、（ＬＴＥ通信のために）電力制限を強要する一方で、（例えば、解決策ii）で採用されないか採用できないＰＲＢｓを使用する必要であるときには、アップリングとダウンリンクとの両方で、ＬＴＥバンド４０の高い部分におけるＰＲＢｓのスケジューリングを行う。
【００３１】
上記と同様に、デュアルＦＡＰ５は、また、ＬＴＥバンド７におけるＩＤＣ干渉（ＬＴＥバンド７のアップリンク部分とＷｉ−Ｆｉチャネル１４とは５ＭＨｚだけ離れており、Ｗｉ−Ｆｉチャネル１４のほぼ半分がＬＴＥガードバンド内に入るので、ＩＳＭチャネル１４において、ＬＴＥバンド７へ及びその逆へ、送信によって引き起こされ得る）を有益に低減することができる。この場合において、以下の一つ以上の可能な解決策がデュアルＦＡＰ５によって適用され得る。
【００３２】
iv）ＨｅＮＢ部５−１は、ＩＳＭ帯域の高い部分（例えば、ＩＳＭチャネル１２〜１４）に近い一つ以上のチャネルを使用しないように、即ち、可能であれば他のチャネルを選択するように、ＡＰ部５−２に求める；
v）（ＡＰ部５−２とＷｉ−Ｆｉ可能移動デバイス３のような）共存しているＷｉ−Ｆｉデバイスが、ＬＴＥバンド７に近い一つ以上のチャネルを使用するとき、ＨｅＮＢ部５−１は、アップリンクにおいて、ＬＴＥバンド７の低い部分（即ち、ＩＳＭチャネル１４に近い領域）におけるＰＲＢｓのスケジュールを禁止（回避）する。 
vi）ＨｅＮＢ部５−１は、ＡＰ部５−２からタイミング情報を得てもよく、その情報を使用してＨｅＮＢ部５−１は、少なくとも、Ｗｉ−Ｆｉチャネル１４におけるＡＰ部５−２（または移動デバイス３）によるＩＳＭ送信の持続のために、アップリンク（ＬＴＥ）通信（少なくともＬＴＥバンド７での）のスケジューリングを回避するように配置される。
【００３３】
解決策iv）からvi）は、また、ＬＴＥバンド７の代わりに（又は加えて）ＬＴＥバンド４１に適用されることが理解されるだろう。
【００３４】
さらに、ＨｅＮＢ部５−１は、ＡＰ部５−２の動作に関連する情報（例えば、使用チャネル、送信電力等）に従って、ダウンリンクにおけるその最大送信電力を調整し（及び／又は、アップリンクにおいて移動デバイス３に許容される最大送信電力を調整し）、それによって、ＡＰ部５−２へのＨｅＮＢ部５−１のＬＴＥ送信によって引き起こされる干渉を軽減するように構成されてよい。同様に、ＡＰ部５−２は、移動デバイス３とのダウンリンク及びアップリンク通信のために、ＨｅＮＢ部５−１によって現在使用され／許可されている電力（例えば、最大又は平均電力）に関係するＨｅＮＢ部５−１から情報を得て、それに従いその送信を調整するのに有利に構成されてよい。
【００３５】
ＨｅＮＢ部５−１はまた、ＩＳＭ通信への干渉（又は、それから受ける干渉）を引き起こす傾向があるＬＴＥバンドにおいて、ＬＴＥ通信がスケジュールされる移動デバイス３に関して、キャリア周波数再選択手順を開始することにより、ＡＰ部５−２へのＨｅＮＢ部５−１のＬＴＥ送信によって引き起こされる干渉を低減するように構成され得る。例えば、ＨｅＮＢ部５−１は、ＡＰ部５−２の動作に関連する情報（例えば、ＩＳＭチャネル及び／又は関連する使用送信電力）に基づいて、（例えば、干渉する又は潜在的に干渉する現在使用されているキャリア周波数に代えて）どのキャリア周波数が再選択される必要があるのかを決定するように構成されてよい。
【００３６】
また、ＨｅＮＢ部５−１とＡＰ部５−２とは、一つ以上（例えば、全て）の周波数帯域での送信が一時中断する間に、それらのトランシーバが低電力動作モード（即ち、省エネモード）に入るとき及び／又は出るときに、互いに通知するように構成されてもよい。ＨｅＮＢ部５−１及びＡＰ部５−２の現在の電力状態に関して交換された情報を使用することで、デュアルＦＡＰ５は、ＨｅＮＢ部５−１及び／又はＡＰ部５−２の現在の動作モードに依存して、ある周波数帯域／チャネルの使用を制限し／許容することによって、有益に潜在的干渉を低減することができる。たとえば、ＡＰ部５−２は、ＨｅＮＢ部５−１が通常電力で動作している間（即ち、ＨｅＮＢ部が省電力モードでない間）、ある複数のＩＳＭチャネルの使用を制限し、ＨｅＮＢ部５−１が省電力モードで動作している（そして、これはＨｅＮＢ部５−１によって通知される）間、それらのそのようなＩＳＭチャネルの使用を許容する。
【００３７】
ＨｅＮＢ部５−１及びＡＰ部５−２はまた、それらの間で交換される情報に基づいて、（例えば、ＨｅＮＢ部５−１とＡＰ部５−２との間のトラヒックを制御することにより）負荷バランシングを行うように構成されてよい。この場合において、交換された情報は、ＨｅＮＢ部５−１とＡＰ部５−２とによってそれぞれサービスを受ける移動デバイス３の数、及び／又はそれに関連する負荷（又は残りの能力）に関係してよい。
【００３８】
要約すれば、上述した方法のいずれも、デュアルＦＡＰ５（及び／又は同様のもの）におけるＨｅＮＢ部５−１及びＡＰ部５−２の共通の配置のせいで生じる干渉の軽減（低減、防止）に、有益に貢献する。これは、上記特徴を支持しない他のデュアルモード基地局と比較して、デュアルＦＡＰ５によって達成され得る全体のデータスループットを次第に増加させる。
【００３９】
移動デバイス
図５は、図１に示される移動遠距離通信システム１の一部を形成する移動デバイス３のブロック図である。図のように、移動デバイス３は、一つ以上のアンテナ３３ａ〜３３ｃを介して基地局５へ信号を送信し、またそこからの信号を受信するように動作し得るトランシーバ回路３１ａ〜３１ｃを含む。図５に必ずしも示す必要はないけれども、移動デバイス３は、当然、（ユーザインタフェース３５といった）従来の携帯電話機の通常の機能を全て有しており、これは、必要に応じて、ハードウェア、ソフトウェアおよびファームウェアのいずれか一つ又はいくつかの組み合わせによって提供されてよい。移動デバイス３は、移動デバイス３の動作を制御するコントローラ３７を有している。コントローラ３７は、メモリ３９と関連付けられて、トランシーバ回路３１ａ〜３１ｃに接続される。コントローラ３７は、メモリ３９に格納されたソフトウェアとデータとに基づいて、トランシーバ回路３１ａ〜３１ｃの動作を制御する。
【００４０】
ソフトウェアはメモリ３９に予めインストールされていてよく、及び／又は、例えば、遠距離通信ネットワークを介して若しくは取り外し可能なデータ記憶デバイス（ＲＭＤ）からダウンロードされてもよい。ソフトウェアは、特に、オペレーティングシステム４１、ＬＴＥモジュール４３、ＩＳＭモジュール４５、ＧＰＳモジュール（任意）、測定及び報告モジュール４８、及びトラフィック操縦モジュール４９を含む。
【００４１】
ＬＴＥモジュール４３は、ＬＴＥ無線技術を使用して、移動デバイス３の通信を制御する。ＬＴＥモジュール４３は、（ＬＴＥトランシーバ回路３１ａとＬＴＥアンテナ３３ａとを介して）基地局５から指令を受け、それらをメモリ３９に格納する。ＬＴＥモジュール４３は、受信した指令に基づいて、ＬＴＥ通信において使用される、適切な周波数帯域、送信電力、変調モード等を選択する動作を行うことができる。ＬＴＥモジュール４３はまた、基地局５がサービスを提供している移動デバイスの間でリソースを割り当てることに関してその基地局５を支援するために、送信用にスケジュールされたアップリンク及び／又はダウンリンクのデータの量及び種類に関して、基地局５をアップデートすることができる。
【００４２】
ＩＳＭモジュール４５は、移動デバイス３のＩＳＭ（例えば、ＩＥＥＥ８０２．１１）通信を制御する。その際に、ＩＳＭモジュール４５は、例えば、アクセスポイント５−２から受けたデータを使用し、及び／又は無線ヘッドセット及び／又は同様のものと通信する。
【００４３】
もしあるならば、ＧＰＳモジュール４７は、移動デバイス３の現在の地理的位置を得て、移動デバイス３のＧＰＳ通信を制御するように動作することができる。その際、ＧＰＳモジュール４７は、例えば、測位衛星から受信したデータを使用することできる。
【００４４】
測定及び報告モジュール４８は、（干渉測定を含む）信号測定を実行する責任を負い、測定報告を生成し（ＬＴＥトランシーバ３１ａを介して）ＨｅＮＢ部５−１へ送る。そうするために、測定及び報告モジュール４８は、ＨｅＮＢ部５−１から測定構成を得るために動作可能である。測定及び報告モジュール４８はまた、ＬＴＥトランシーバ３１ａを介して関連するＩＤＣ表示をＨｅＮＢ部５−１へ送信することによって、デバイス内干渉の発生を示すように動作可能であってよい。あらゆる適切なシグナリングを使用することが可能であるけれども、本実施形態では、測定及び報告モジュール４８とＨｅＮＢ部５−１とは、一つ以上の専用の無線リソース制御（ＲＣＣ）メッセージを使用して通信する。
【００４５】
トラフィック操縦モジュール４９は、デュアルＦＡＰ５により指示されたとき、ＨｅＮＢ部５−１とＡＰ部５−２との間のトラフィックを操縦することに責任を負う。それを行うため、トラフィック操縦モジュール４９は、ＨｅＮＢ部５−１からの操縦コマンドを受けて処理するように動作可能である。そのような操縦コマンドは、例えば、測定報告をＨｅＮＢ部５−１へ送信した測定及び報告モジュール４８に続いて（例えば、応答して）、受信されてよい。
【００４６】
ＬＴＥ基地局
図６は、図１に示される移動遠距離通信システム１の一部を形成するデュアルＦＡＰ５のＨｅＮＢ部５−１のブロック図である。図示されるように、ＨｅＮＢ部５−１は、トランシーバ回路５１-１を含み、それは、一つ以上のアンテナ５３-１を介して移動デバイス３へ信号を送信し、またそこから信号を受信し、及びネットワークインタフェース５５（銅又は光ファイバインタフェースであってよい）を介してコアネットワーク７及び他の基地局へ信号を送信し、またそれらからの信号を受信するように、動作可能である。コントローラ５７は、メモリ５９に格納されたソフトウェア及びデータに従ってトランシーバ回路５１−１の動作を制御する。ソフトウェアは、特に、オペレーティングシステム６１、ＬＴＥ通信制御モジュール６３、無線リソース制御（ＲＲＣ）モジュール６５、及びＩＳＭインタフェースモジュール６７（これは、負荷バランシングモジュール７０、チャネル制御モジュール７１、及び電力制御モジュール７２を含む）を含む。
【００４７】
通信制御モジュール６３は、トランシーバ回路５１−１と一つ以上のアンテナ５３-１とを介したＨｅＮＢ部５−１（即ち、デュアルＦＡＰ５のＬＴＥ基地局部）と（移動デバイス３のような）外部デバイスとの間の通信を制御する。通信制御モジュール６３はまた、トランシーバ回路５１−１及びネットワークインタフェース５５（例えば、Ｓ１インタフェースにより構成されてよい）を介して、ＨｅＮＢ部５−１と（ＭＭＥ１２，Ｓ−ＧＷ１４、及び／又はＰ−ＧＷ１６のような）コアネットワークノードとの間の通信も制御する。
【００４８】
ＲＲＣモジュール６５は、ＲＲＣプロトコルに従いフォーマットされたメッセージを管理（生成、送信及び受信）する。たとえば、ＲＲＣモジュール６５は、移動デバイス３とＲＲＣメッセージ（例えば、信号測定に関連するＲＲＣメッセージ）を通信するように動作可能である。
【００４９】
ＩＳＭインタフェースモジュール６７は、ＨｅＮＢ部５−１とＡＰ部５−２との間に設けられた専用のインタフェース１００を通じてのＡＰ部５−２との（それの対応するＬＴＥインタフェースモジュール６９での）通信を制御する。例えば、ＩＳＭインタフェースモジュール６７は、ＬＴＥ通信技術及び非ＬＴＥ（ＩＳＭ）通信技術の両方の同時使用により生じる干渉の軽減を助けるために、ＡＰ部５−２と情報を交換するように動作可能である。具体的にいうと、ＩＳＭインタフェースモジュール６７は、負荷バランシングモジュール７０を含み、これは、ＡＰ部５−２と交換される情報に基づいて負荷バランシングを実行するための責任を負う。ＩＳＭインタフェースモジュール６７はまた、チャネル制御モジュール７１を含み、これは、ＡＰ部５−２と交換される情報に基づいてチャネル制御を実行するための責任を負う。この例では、ＩＳＭインタフェースモジュール６７はさらに電力制御モジュール７２を含み、これは（ＡＰ部５−２と交換される情報に基づいて）電力制御を実行するための責任を負う。ＩＳＭインタフェースモジュール６７は、いくつかの付加的モジュールを含み得ること、及び／又はモジュール７０〜７２のいずれか及び／又は、付加的モジュールのいずれか）は、必要なら組み合わされてよいこと、が理解されるだろう。
【００５０】
アクセスポイント
図７は、図１に示される移動遠距離通信システム１の一部を形成するデュアルＦＡＰ５のアクセスポイント部５−２のブロック図である。図示のように、アクセスポイント部５−２は、トランシーバ回路５１−２を含み、それは、一つ以上のアンテナ５３−２を介して移動デバイス３へ信号を送信し、またそれからの信号を受信するように、及び、ネットワークインタフェース５５（銅又は光ファイバインタフェースであってよい）を介してコアネットワーク７及び他の基地局５へ信号を送信し、またそれらからの信号を受信するように、動作可能である。コントローラ５７は、メモリ５９に格納されたソフトウェア及びデータに従って、トランシーバ回路５１−２の動作を制御する。ソフトウェアは、特に、オペレーティングシステム６１、非ＬＴＥ（例えば、ＩＳＭ）通信制御モジュール６４、及びＬＴＥインタフェースモジュール６９（これは、負荷バランシングモジュール７０、チャネル制御モジュール７１、及び電力制御モジュール７２を含む）を含む。
【００５１】
通信制御モジュール６４は、トランシーバ回路５１−２と一つ以上のアンテナ５３-２とを介して、アクセスポイント部５−２と（移動デバイス３のような）外部デバイスとの間の通信を制御する。通信制御モジュール６４はまた、トランシーバ回路５１−２及びネットワークインタフェース５５を介して、ＡＰ部５−２と他のネットワークノード（直接又は一つ以上のゲートウェイを介して）との間の通信も制御する。
【００５２】
ＬＴＥインタフェースモジュール６９は、ＨｅＮＢ部５−１とＡＰ部５−２との間に設けられた専用のインタフェース１００を通じてのＨｅＮＢ部５−１との（それの対応するＩＳＭインタフェースモジュール６７での）通信を制御する。例えば、ＬＴＥインタフェースモジュール６９は、ＬＴＥ通信技術及び非ＬＴＥ（ＩＳＭ）通信技術の両方の同時使用により生じる干渉の軽減を助けるために、ＨｅＮＢ部５−１と情報を交換するように動作可能である。具体的にいうと、ＬＴＥインタフェースモジュール６９は、負荷バランシングモジュール７０を含み、これは、ＨｅＮＢ部５−１と交換される情報に基づいて負荷バランシングを実行するための責任を負う。ＬＴＥインタフェースモジュール６９はまた、チャネル制御モジュール７１を含み、これは、ＨｅＮＢ部５−１と交換される情報に基づいてチャネル制御を実行するための責任を負う。この例では、ＬＴＥインタフェースモジュール６９はさらに電力制御モジュール７２を含み、これは（ＨｅＮＢ部５−１と交換される情報に基づいて）電力制御を実行するための責任を負う。ＬＴＥインタフェースモジュール６９は、いくつかの付加的モジュールを含み得ること、及び／又はモジュール７０〜７２のいずれか（及び／又は、付加的モジュールのいずれか）は、必要なら組み合わされてよいこと、が理解されるだろう。
【００５３】
上記説明において、移動デバイス３、ホーム基地局５−１、及びアクセスポイント５−２は、理解を容易にするために、いくつかの分離したモジュール（通信制御モジュール及びＬＴＥ／ＩＳＭインタフェースモジュールのような）を有しているように説明した。これらのモジュールは、特定用途のため、例えば、現存のシステムが本発明を導入するように変更される場合、この方法で提供されてもよいけれども、その他の用途、例えば、初めから発明の特徴を備えることを考慮して設計されたシステムにおいて、これらのモジュールは、全体として動作するシステム又はコードとして作られてよく、それゆえ、これらのモジュールは、個々の構成要素として識別できなくてもよい。
【００５４】
動作
ホーム基地局５−１とデュアルＦＡＰ５のアクセスポイント部５−２との間の干渉を軽減するために利用される方法の例を、以下に述べる。当業者の理解を効率的とするように、ホーム基地局（ＨｅＮＢ）とデュアルＦＡＰのアクセスポイント部とについて本発明を詳細に説明するけれども、ここに説明される原理は、一つ以上の（ホーム）基地局及び／又は一つ以上のアクセスポイント（これらはそれぞれ異なる標準に従い動作してよい）を、必要に応じて変更されたシステムの対応する要素ととともに含む「マルチモード」ＦＡＰに適用され得る。
【００５５】
第１実施形態
図８ａは、図１に示される移動遠距離通信システム１のＨｅＮＢ部５−１とＡＰ５−２部とによって実行される方法を説明する代表的なタイミング図である。この例において、ＨｅＮＢ部５−１とＡＰ部５−２とは、例えば、ＬＴＥ通信技術及び非ＬＴＥ通信技術の両方の同時使用の結果である（継続中の又は潜在的な）干渉を軽減するために、チャネル制限に適用されるように構成される。
【００５６】
上述したように、ＨｅＮＢ部５−１とＡＰ部５−２とは、（デュアルＦＡＰ５の内部で、又は、一つ以上のゲートウェイ及び／又はコアネットワーク７を介して提供されるような外部接続を使用して）情報を交換することによって、（継続する又は潜在的な）任意のＩＤＣ干渉を軽減するように構成される。
【００５７】
この例において、ＨｅＮＢ部５−１は、ＩＳＭ帯域の低い部分（例えば、ＩＳＭチャネル１〜３）に近い一つ以上のチャネルを使用しないように、ＡＰ部５−２に要求する。そのようにするため、ＨｅＮＢ部５−１は、ステップＳ８０１において、適切にフォーマットされたメッセージ（例えば、「チャネル制限要求」メッセージ）を（ＩＳＭインタフェースモジュール６７／チャネル制御モジュール７１を使用して）生成し、ＡＰ部５−２へ送信し、一つ以上のＩＳＭチャネルに関してチャネル制限を適用するようにＡＰ部５−２に要求する。ＨｅＮＢ部５−１はまた、Ｓ８０１で送信されたメッセージに、制限されるべきチャネルを特定する情報（例えば、ＩＳＭチャネルに関連するチャネルＩＤ及び／又は干渉するＬＴＥ帯域に関連する帯域ＩＤ）を含める。
【００５８】
ＨｅＮＢ部５−１の要求に応じて、ＡＰ部５−２は、（そのチャネル制御モジュールを使用して）要求された制限を適用できるかどうか判断する。もしＡＰ部５−２が、ＨｅＮＢ部５−１の要求を実行できると判断したならば、ＡＰ部は、Ｓ８０１で受信した要求により特定される（一つ以上の）ＩＳＭチャネルに関し、（ステップＳ８０３において）チャネル制限を（そのチャネル制御モジュール７１を用いて）適用するのを始める。このようなチャネル制限は、少なくともその制限を解除するＨｅＮＢ部５−１からの更なるメッセージを受信するまで、及び／又は関連する「チャネル制限」タイマ（例えば、初期設定タイマ値及び／又はＳ８０１でメッセージより設定されるタイマ値）の終了まで、ＡＰ部５−２により維持されてよい。
【００５９】
一旦ＡＰ部５−２が、要求されたチャネル制限に従うと、ＡＰ部は、ステップＳ８０５ａにおいて、制限が実施されていることをＨｅＮＢ部５−１に知らせる適切な信号メッセージ（例えば、「チャネル制限承認」メッセージ）を（ＬＴＥインタフェースモジュール６９を用いて）生成し、送信する。有利なことに、ＨｅＮＢ部５−１は、これらの通信に不要な干渉を引き起こすことなく、ＡＰ部５−２によって動作するＩＳＭチャネルに隣接する又は重なるＬＴＥチャンネルを使用して、移動デバイス３と通信することができる。
【００６０】
制限されたＩＳＭチャネルに既に許可されている任意の通信は、終了させられるか別の（制限されていない）チャネルに移される（ハンドオーバされる、操作されるなど）。
【００６１】
本実施形態において、ＨｅＮＢ部５−１は、例えば、ＬＴＥ周波数バンド４０を使用することができ、また、ＡＰ部５−２に、ＩＳＭチャネル１〜３の少なくとも一つの使用制限を要求することができる。ＨｅＮＢ部５−１はまた、ＩＳＭチャネル１２〜１４の少なくとも一つの使用を制限するようにＡＰ部５−２に要求する場合に、ＬＴＥ周波数バンド７（及び／又はＬＴＥバンド４１）を使用することができる。
【００６２】
第２実施形態
図８ｂは、図８ａに示される方法の変形を示す。この場合において、ＡＰ部５−２は、要求されたチャネル制限に従うことができず、ＨｅＮＢ部５−１は、それ自身における干渉を軽減するように構成される。
【００６３】
図８ｂのステップＳ８０１は、図８ａのステップＳ８０１と同じである。しかしながら、この場合において、ＡＰ部５−２は、（そのチャネル制御モジュール７１を使用して）要求されたチャネル制限を適用できないと判断する。これは、例えば、そのような制限が既に実施され、制限されるべきチャネルがＡＰ部５−２によってサポートされておらず、そのチャネルが、中断できず／他のチャネルへ移動できない等の通信に使用されているときに起こる。
【００６４】
ステップＳ８０３に通常示されるように、ＡＰ部５−２は、ステップＳ８０５ｂにおいて、要求されたチャネル制限を適用しない。代わりに、ＡＰ部５−２は、要求された制限を（少なくとも、Ｓ８０１のメッセージで特定されたチャネルのいくつかに関して）実施できないということをＨｅＮＢ部５−１に知らせる適切な信号メッセージ（例えば、チャネル制限非承認（Ｎａｃｋ）メッセージ）を（そのＬＴＥインタフェースモジュール６９を使用して）生成し、送信する。
【００６５】
有利なことに、この場合、ＨｅＮＢ部５−１は、（そのチャネル制御モジュールを使用して）スケジューリング制限を適用することができ、及び／又は、（その電力制御モジュール７２を用いて）影響を受けるＬＴＥバンドを通じての（例えば、移動デバイス３−１との）通信への電力制御を適用することができる。こうして、例えば、ＡＰ部５−２が、ＩＳＭチャネル１〜３の少なくとも一つの使用を制限できないならば、ＨｅＮＢ部５−１は、自身の（ダウンリンク、アップリンク、またはその両方における）ＬＴＥ周波数バンド４０の使用を制限することができる。ＡＰ部５−２が、ＩＳＭチャネル１２〜１４の少なくとも一つの使用を制限できないならば、ＨｅＮＢ部５−１は、ダウンリンク及び／又はアップリンクにおいて、自身のＬＴＥ周波数バンド７（及び／又はバンド４１）の使用を制限することができる。
【００６６】
ＨｅＮＢ部５−１は、こうして、ＡＰ部５−２が要求された制限を実施できないか又は実施しなくても、適切なＬＴＥ周波数帯（即ち、制限されていない周波数帯）を使用して、これらの通信に不要な干渉を引き起こすことなく、移動デバイス３と通信することができる。
【００６７】
第３実施形態
図９ａは、図８ａに示される方法の他の変形を示す。図８ｂと同様に、この場合において、ＡＰ部５−２は、要求されたチャネル制限に従うことができず、ＨｅＮＢ部５−１はそれ自身上の干渉を軽減するように構成されている。
【００６８】
ステップＳ９０１〜Ｓ９０５ａは、図８ｂのステップＳ８０１〜８０５ｂにそれぞれ対応しており、それゆえ、それらの説明はここでは繰り返さない。
【００６９】
しかしながら、この場合、ステップＳ９０７に示されるように、ＨｅＮＢ部５−１は、（そのチャネル制御モジュール７１を使用して）スケジューリング制限を適用し、及び／又は専用のＬＴＥバンドを通じての（例えば、移動デバイス３−１との）それ自身の通信に高度なアップリンクスケジューリングを適用する。これは、ＡＰ部５−２がＩＳＭチャネル１２〜１４の少なくとも一つの使用を制限することができない場合であって、アップリンクにおけるＬＴＥバンド７の場合に特に役立つ。しかしながら、この変形はまた、上述したように、ＬＴＥバンド７におけるダウンリンク通信、及び／又は他の帯域、例えばＬＴＥバンド４０／４１における通信にも適用されることが理解されるだろう。
【００７０】
また、ＨｅＮＢ部５−１はまた、ＡＰ部５−２から（例えば、ステップＳ９０５ａにおいて又は別のステップにおいて）ＡＰ部５−２によって適用されたフレームタイミングを特定する情報、即ち、送信パターン、（もしあれば）及び／又は干渉チャネルを通じてのＡＰ部５−２により使用される持続時間を、特定する情報を得るように構成されてよい。有益なことに、ＨｅＮＢ部５−１は、得られたフレームタイミング情報を使用して、例えば、干渉するＩＳＭチャネル（例えば、チャネル１２／１３／１４）におけるＡＰ５−２の送信の期間中、影響を受けたＬＴＥ帯域（例えば、バンド７／４１）におけるＵＬ送信のスケジューリングを回避することによって、影響を受けたＬＴＥバンドのために高度なアップリンクスケジューリングを適用できる。
【００７１】
第４実施形態
図９ｂは、図１に示される移動遠距離通信システム１のＨｅＮＢ部５−１とＡＰ部５−２とによって実施される方法を説明する代表的なタイミング図を示す。この例において、ＨｅＮＢ部５−１は、ＡＰ部５−２から得られる情報に基づいて、その最大送信電力を制御するように構成されている。
【００７２】
初めに、ステップＳ９１０に通常示されるように、ＨｅＮＢ部５−１は、ホームｅＮｏｄｅＢ管理システム（ＨｅＭＳ）からの適用可能な最大送信（「Ｔｘ」）電力値を受信する。ＨｅＮＢ部５−１は、ＡＰ部５−２から得られる情報に基づいて、その最大送信電力を調整し、それによって共存しているＡＰ部５−２への干渉の量を（できる限り）減少させるように、構成されている。
【００７３】
具体的に言うと、この例では、ＡＰ部５−２は、ステップＳ９１１において、（その電力制御モジュール７２を使用して）適切にフォーマットされたメッセージ（例えば、「チャネル／送信電力情報要求」メッセージ）を生成し、例えば、専用のインタフェース１００を通じて、ＨｅＮＢ部５−１へ送信する。ＡＰ部５−２は、このメッセージに、ＡＰ部５−２による移動デバイス３との通信に使用される一つ以上のチャネル（例えば、ＩＳＭチャネル１〜３及び１２〜１４の少なくとも一つ）を特定する情報、及び特定された一つ以上のチャネルに使用されるそれぞれ関連する送信電力、を含ませる。
【００７４】
次に、ステップＳ９１３において、ＨｅＮＢ部５−１は、適切なＵＬ／ＤＬ最大送信電力を適用するために、また、ＡＰ部５−２により使用される一つ以上のチャネルを特定する受信した情報とそれぞれの関連する送信電力とを考慮して、その電力制御モジュール７２を構成する。
【００７５】
具体的には、ＨｅＮＢ部５−１は、いわゆる「Ｐｍａｘ」パラメータの値（それはＨｅＮＢ部５−１の最大送信電力を決定する）を、チャネル情報及び／又はＡＰ部５−２によって使用される電力に依存するオフセットに基づいて調整するように構成されている。さらに、ＨｅＮＢ部５−１は、また、ＡＰ部５−２により使用される一つ以上のチャネルを特定する受信した情報とそれぞれの関連する送信電力とに基づいて、ＨｅＮＢ部５−１によって操作されるセルの範囲内で、移動デバイス３の最大許容ＵＬ送信電力を調整／設定するように構成されている。適切なＵＬ／ＤＬ最大送信電力の決定において、ＨｅＮＢ部５−１は、他の情報、例えば、ネットワークモニタモード（ＮＭＭ）測定（ネットワークリッスンモード（ＮＬＭ）測定とも呼ばれる）に関係する情報を、さらに考慮するように構成されてもよいことが理解されるだろう。
【００７６】
一旦ＨｅＮＢ部５−１が適切なＵＬ／ＤＬ最大送信電力を持つその電力制御モジュールをうまく構成したならば、ＨｅＮＢ部は、ステップＳ９１５において、（そのＩＳＭインタフェースモジュール６７を使用して）適切な信号メッセージ（例えば、「チャネル／送信電力情報承認」メッセージ）を生成し、ＡＰ部５−２へ送信する。
【００７７】
有益なことに、ＡＰ５−２のチャネルを特定する情報と関連する送信電力とを考慮して、（ＨｅＮＢ５−１の送信に）適切な送信電力設定を適用することにより、ＨｅＮＢ部５−１は、デュアルＦＡＰ５におけるＬＴＥ通信技術と非ＬＴＥ（ＩＳＭ）通信技術との両方の同時使用の結果である（継続中または潜在的な）干渉を軽減できる。
【００７８】
第５実施形態
図１０ａ及び１０ｂは、図１に示される移動遠距離通信システム１のＨｅＮＢ部５−１とＡＰ部５−２とによって実施される方法を説明する代表的なタイミング図を示す。この例において、ＨｅＮＢ部５−１は、ＨｅＮＢ部５−１の現在の動作状態に基づいて、ＡＰ５−２の帯域制限を制御するように構成されている。
【００７９】
ステップＳ１０００において手順が始まり、ＨｅＮＢ部５−１は、省エネモード（ＥＳＭ）に入り、その間、例えば、一つ以上の（例えば、全ての）ＬＴＥ周波数帯域が中断される。この動作モードの変更に応じて、ＨｅＮＢ部５−１は、ステップＳ１００１において、（そのＩＳＭインタフェースモジュール６７を使用して）省エネモードの起動についてＡＰ部５−２に知らせる適切にフォーマットされたメッセージを生成し、（専用のインタフェース１００を通じて）送信する。ＨｅＮＢ部５−１はまた、このメッセージに、その送信が中断されるか（例えば、全てのＬＴＥバンドが中断されないとき）、及び／又はＥＳＭが適用されるかする、ＬＴＥバンドを特定する情報を含ませてよい。
【００８０】
このメッセージに応答して、ステップＳ１００３に示すように、ＡＰ部５−２は、（そのチャネル制御モジュール７１及び／又は電力制御モジュール７２を使用して）そのＩＳＭ送信（例えば、チャネル１〜３及び１２〜１４のいずれか）に適用されている任意の制限の執行をも中止する。ＡＰ部５−２は、ステップＳ１００５において、（そのＬＴＥインタフェースモジュール６９を使用して）ＩＳＭバンド制限が解除されたことを確認する、適切にフォーマットされたメッセージ（例えば、「ＥＳＭ入応答」メッセージ）を生成し、ＨｅＮＢ部へ送信する。
【００８１】
図１０ｂは、この手順の逆を図示しており、ＨｅＮＢ部５−１は、動作の省エネモード（例えば、上述したＥＳＭモード）を出て、ＡＰ部５−２に、一つ以上の制限がＩＳＭ通信に適用するのを開始することを知らせ、それによって、ＬＴＥ技術と非ＬＴＥ技術との同時使用によって起こる潜在的な干渉を軽減する。
【００８２】
ステップＳ１０１０において示されるように、この手順は、ＨｅＮＢ部５−１が動作の省エネモード（例えば、上述したＥＳＭモード）を出るとき、始まる。この動作モードの変更に応じて、ＨｅＮＢ部５−１は、ステップＳ１０１１において、もはやＬＴＥ周波数帯域を通じたＨｅＮＢ５−１の送信が中断されていない（たとえば、ステップＳ１０１０において入った省エネモードの不活性）、その通常（すなわち、非ＥＳＭ）モードの動作を再開するＨｅＮＢ部５−１について、ＡＰ部５−２に知らせる適切にフォーマットされたメッセージを（そのＩＳＭインタフェースモジュール６７を使用して）生成し、（例えば、専用のインタフェース１００を通じて）送信する。ＨｅＮＢ部５−１はまた、このメッセージに、その送信がもはや中断されていないＬＴＥバンド及び／又はその送信が中断されているＬＴＥバンド（例えば、いくつかのＬＴＥバンドが依然中断されているなら）を特定する情報を含めてよい。
【００８３】
このメッセージに応答して、ステップＳ１０１３に示すように、ＡＰ部５−２は、（そのチャネル制御モジュール７１及び／又は電力制御モジュール７２を使用して）そのＩＳＭ送信（例えば、チャネル１〜３及び１２〜１４のいずれかにおいて）への制限の執行の適用を開始する。要求された制限は、Ｓ１０１１で送信されたメッセージ及び／又はその他の適切なメッセージ（図８ａ〜９ｂを参照して上述したメッセージのような）に、適切な情報を含ませるＨｅＮＢ部５−１によって特定されることが理解されるだろう。
【００８４】
次に、ＡＰ部５−２は、ステップＳ１０１５において、（そのＬＴＥインタフェースモジュール６９を使用して）ＩＳＭ帯域制限が（再）適用されたことを確認する、適切にフォーマットされたメッセージ（例えば、「ＥＳＭ出応答」メッセージ）を生成し、ＨｅＮＢ部へ送信する。
【００８５】
この点で、この手順は、たとえば、もしＨｅＮＢ部５−１が実質的にその省エネモードに入るなら、ステップＳ１０１０に戻ってよいことが正しく理解されるだろう。
【００８６】
こうして、要約すると、ＨｅＮＢ部５−１は、省エネモードに入るといつも、その現在の省エネモード（及び／又はそのモード移行）について（例えば、専用のインタフェース１００を通じて）ＡＰ部５−２へ通知し、ＡＰ部５−２は、ＬＴＥ送信と非ＬＴＥ送信との共存のせいで生じた干渉を軽減するために、ＨｅＮＢ部５−１によって強いられたいかなる制限（例えば、ＩＳＭチャネル使用、送信電力、及び／又はスケジューリングの制限）をも有益に解除することができる。同様に、ＨｅＮＢ部５−１は、省エネモードにあるときはいつでも、その現在の省エネモード（及び／又はモード移行）についてＡＰ部５−２に通知し、ＡＰ部５−２は、デュアルＦＡＰ５におけるＬＴＥ技術と非ＬＴＥ技術との共存の結果の干渉（又は潜在的な干渉）を軽減するために、任意の要求された制限（例えば、ＩＳＭチャネル使用、ＩＳＭ送信電力、及び／又はＩＳＭスケジューリングの制限）をも、有益に適用（又は、必要に応じて再適用）することができる。
【００８７】
ＡＰ部５−２の実際の省エネモードに基づいて、ＨｅＮＢ部５−１が、ＡＰ部５−２のＩＳＭ送信によって影響されるＬＴＥバンドにおける自身の送信に適切な制限を適用／解除してよい場合に、ＡＰ部５−２はまた、上述した手順を効果的に反映させることにより、その現在の省エネモード（及び／又は省エネモード移行）ついてＨｅＮＢ部５−１へ通知するように構成されて良いことが理解されるだろう。
【００８８】
状態移行と、ＨｅＮＢ部５−１とＡＰ部５−２との間の関連する通知とが、さらに図１０ｃに図示されている。
【００８９】
ＨｅＮＢ部５−１及び／又はＡＰ部５−２の現在の電力状態に関する交換された情報を利用することにより、デュアルＦＡＰ５は、ＨｅＮＢ部５−１及び／又はＡＰ部５−２の現在の動作モードに依存して、ある周波数帯域／チャネルの使用を制限／許容することによって、潜在的な干渉を有益に低減することができる。
【００９０】
第６実施形態
図１１は、図１に示された移動遠距離通信システム１のＨｅＮＢ部５−１とＡＰ部５−２とによって実施される方法の代表的なタイミング図を示す。この例において、ＨｅＮＢ部５−１は、ＡＰ部５−２から得られる負荷情報に基づいて、ＡＰ部５−２へ／からのトラフィックの操縦を制御するように構成されている。
【００９１】
本実施形態において、ＨｅＮＢ部５−１と移動デバイス３（図１１において「ＵＥ」と表示）との間で使用されるメッセージは、３ＧＰＰ  ＴＳ  ３６．３３１に規定されるＲＲＣプロトコルに従うことが理解されるだろう。具体的には、Ｓ１１０１で送信されるメッセージは、ＴＳ  ３６．３３１のセクション５．５．１に記述される「ＲＣＣ接続再構成メッセージ」から成ってよく、Ｓ１１０４で送信されるメッセージは、ＴＳ  ３６．３３１のセクション５．５．５「測定報告」に記述されるメッセージに対応する。ステップＳ１１０２は、ＴＳ  ３６．３３１のセクション５．５．４．２から５．５．４．８に記述される、任意のイベントトリガＡ１〜Ａ６、Ｂ１、およびＢ２に対応してよい。ＴＳ  ３６．３３１の上記セクションの内容は、参照によりここに組み込まれる。さらに、ステップＳ１１０２は、Ｗｉ−Ｆｉ信号強度測定、Ｗｉ−Ｆｉ干渉測定及び／又は同様のもののような、非ＬＴＥ（例えば、ＩＳＭ）測定に関するイベントトリガから成ってよい。
【００９２】
しかしながら、この場合において、ステップＳ１１００に通常示されるように、ＨｅＮＢ部５−１は、ＡＰ部５−２からの負荷情報（たとえば、輻輳状態情報）を得るように動作可能である。図１１において、ステップＳ１１００は、ステップＳ１１０４とＳ１１０５の間に起こるように示されているけれども、ステップＳ１１００は、ステップＳ１１０５の前の任意の時刻、例えば、ステップＳ１１０１の前や後に、起こってよいことが理解されるだろう。さらに、ステップＳ１１００でのメッセージは、（例えば、専用のインタフェース１００通じて）ＨｅＮＢ部５−１から受信された関連する要求（図１１に不図示）に応答して、ＡＰ部５−２によって送られてよいことが理解されるだろう。
【００９３】
いずれにせよ、ＨｅＮＢ部５−１は、Ｗｉ−Ｆｉ  ＡＰ部５−２へ／からのトラフィックの操縦を開始するための決定において、Ｗｉ−Ｆｉ  ＡＰ部５−２から（例えば、Ｓ１１０４で受信される測定報告に代えて又はそれに加えて）得られる負荷情報を考慮するように構成される。したがって、ＨｅＮＢ部は（その負荷バランシングモジュール７０を使用して）、いくつかのまたはすべての移動デバイス３がＷｉ−Ｆｉ  ＡＰ部５−２へ／から操縦され得ると判断した時、ステップＳ１１０５において、Ｓ１１００で受信した負荷情報によって示されるＡＰ部５−２の負荷（例えば、輻輳状態／容量）に依存して、Ｗｉ−Ｆｉ  ＡＰ部５−２への／からの操縦を移動デバイス３に要求する、適切にフォーマットされた信号メッセージを生成して送信し、それによって、デュアルＦＡＰ５におけるＬＴＥ技術と非ＬＴＥ技術との共存から生じる（潜在的な）干渉を軽減する。
【００９４】
例えば、ＡＰ部５−２からの負荷情報が、ＡＰ部５−２の負荷（ＡＰ５−２のセルにおいてサービスを受ける移動デバイスの数及び／又はその使用されている容量の量）が予め定められた閾値を超えていることを示しているならば、ＨｅＮＢ部５−１は、移動デバイス３にＡＰ部５−２から避けるように（及び、可能なら別のＡＰ部を使用させる及び／又はＬＴＥ技術を代わりに使用させる）指示を出す。しかしながら、ＡＰ部５−２からの負荷情報が、ＡＰ部５−２の負荷が予め定められた閾値を超えない（例えば、下回る）ことを示しているならば、ＨｅＮＢ部５−１は、移動デバイス３に（例えば、ＨｅＮＢ部５−１から）ＡＰ部５−２及び／又は他のアクセスポイントへ操縦するように指示を出す。
【００９５】
ステップＳ１１０７に通常示されるように、移動デバイス３は、ＨｅＮＢ５−１の操縦コマンドに従い、ＡＰ部５−２が属する無線ローカルエリアネットワーク（ＷＬＡＮ）へ／からの通信の適切な操縦を実行する。最後に、移動デバイス３は、操縦コマンドの受信成功を認識／確認する。
【００９６】
どちらのシナリオにおいても、ＡＰ部５−２／ＷＬＡＮへ／からの移動デバイス３を操縦することにより、デュアルＦＡＰ５は、ＬＴＥ技術と非ＬＴＥ技術との同時使用（共存）から生じる望ましくない干渉を有益に軽減することができる。
【００９７】
変更及び代替
上記に詳細な実施の形態を説明した。当業者に明らかであるように、上記実施の形態に対し、そこに具体化された発明からの利益を得たまま、いくつかの変形及び代替がなされ得る。
【００９８】
ここに述べられる仕組みは、共同配置デュアルモードＦＡＰ用であるけれども、共同配置でないが、例えば、近接配置されるＦＡＰデバイスに拡大適用することができる。この場合において、メッセージは、例えば、共通のゲートウェイ及び／又は制御ノードを通じて、交換され得ることが理解されるだろう。
【００９９】
上記実施形態において、携帯電話機による遠距離通信システムを述べた。当業者に理解されるように、本願で述べられた技術は、他の通信システムにおいて採用され得る。他の（移動及び固定の）通信ノード又はデバイスは、例えば、携帯情報端末、スマートフォン、ラップトップコンピュータ、ウェブブラウザ、などのユーザデバイスを含んでよい。
【０１００】
上記実施の形態において、いくつかのソフトウェアモジュールを述べた。当業者に理解されるように、ソフトウェアモジュールはコンパイル形式又は非コンパイル形式で提供されてよく、また、コンピュータネットワークを通じた信号として、或いは記録媒体上の信号として、デュアルＦＡＰ又は移動デバイスに提供されてもよい。さらに、このソフトウェアの一部又は全部により実行される機能は、一つ以上の専用のハードウェア回路を使用して実現されてもよい。しかしながら、ソフトウェアモジュールの使用は、それらの機能をアップデートするために、デュアルＦＡＰ（ＨｅＮＢ部／ＡＰ部）及び移動デバイスのアップデートを容易にするので、好ましい。
【０１０１】
上記実施の形態において、同時のＬＴＥ通信及び非ＬＴＥ通信は、同一のデュアルＦＡＰによって実行される。しかしながら、上記実施の形態は、デバイス共存干渉問題における軽減に特に役立つけれども、本発明のいくつかの態様は、一つの基地局がＬＴＥ  ＲＡＴを使用して通信し、別の近くにあるが離れている基地局／アクセスポイントが非ＬＴＥ無線技術を使用して通信する、という状況下における干渉を軽減するために採用され得ることが理解されるだろう。さらに、上記仕組みはまた、将来公表されるＬＴＥアドバンスド（ＬＴＥ−Ａ）セット標準規格（加えて、ＬＴＥ及び／又はＩＳＭ標準規格）に従う（デュアルＦＡＰの）基地局のような、未許可周波数帯で動作する基地局に適用可能であることが理解されるだろう。
【０１０２】
上記実施形態において、デュアルＦＡＰ５は、分離されたＬＴＥ及びＩＳＭベースバンド回路５０−１及び５０−２を含む。各ベースバンド回路５０−１及び５０−２は、自身の無線周波数トランシーバ５１−１及び５１−２に接続され、それ専用のアンテナ５３−１及び５３−２を使用する。ベースバンド回路５０−１及び５０−２、トランシーバ５１−１及び５１−２、及びアンテナ５３−１及び５３−２は、一つのコンポーネントに一体化されてもよいことが理解されるだろう。あるいは、デュアルＦＡＰ５は、サポートするＲＡＴの各形式用に、分離した回路及び／又は分離したトランシーバ及び／又は分離したアンテナを採用してもよい。例えば、ブルートゥースとＷｉ−Ｆｉとの両方はＩＳＭ無線アクセス技術であるけれども、これらの標準規格は、分離した回路及び／又は分離したトランシーバ及び／又は分離したアンテナを使用して実現されてよい。また、与えられたＲＡＴは一つ以上のアンテナを必要とするか、または、分離された送信機部分及び／又は受信機部分を使用することができる。
【０１０３】
非ＬＴＥ（この場合、ＩＳＭ）無線技術の例として、Ｗｉ−Ｆｉトランシーバを使用する実施形態を説明した。しかしながら、ここに説明された仕組みは、他の非ＬＴＥ無線技術（例えば、ブルートゥースやＮＦＣなどの他のＩＳＭ技術、及び／又はＧＰＳ技術）に適用可能である。
【０１０４】
例えば、この仕組みは、以下のＩＳＭ技術に適用され得る。 
・ブルートゥースデバイス；
・コードレスホン；
・近距離通信（ＮＦＣ）デバイス；
・例えば、ＨＩＰＥＲＬＡＮ、Ｗｉ−Ｆｉ（ＩＥＥＥ８０２．１１）のような、無線コンピュータネットワーク；
・例えば、ＺｉｇＢｅｅ，ＩＳＡ１００．１１ａ，無線ＨＡＲＴ、及びＭｉＷｉのような、ＩＥＥＥ８０２．１５．４に基づく無線技術。
【０１０５】
この仕組みはまた、以下のグローバルナビゲーション衛星システム（ＧＮＳＳ）技術にも適用され得る。 
・例えばＧＰＳ、ＧＬＯＮＡＡ，ガリレオ、コンパス、北斗、ＤＯＲＩＳ，ＩＲＮＳＳ，及びＱＺＳＳのような、全世界又は地域衛星ナビゲーションシステム；
・例えばＯｍｎｉｓｔａｒ，ＳｔａｒＦｉｒｅ，ＷＡＡＳ，ＥＧＮＯＳ，ＭＳＡＳ、及びＧＡＧＡＮのような、全世界又は地域衛星型補強システム；
・例えば、ＧＲＡＳ，ＤＧＰＳ，ＣＯＲＳ、及びＧＰＳ基準局オペレーティングリアルタイムキネマチック（ＲＴＫ）補正のような、地上型補強システム。
【０１０６】
図９ｂを参照して述べた上記実施形態において、ＨｅＮＢ部は、ＡＰ部から得られた情報に基づいて、ＨｅＮＢのセル内の移動デバイスのために、それ自身の（ＤＬ）送信電力及び（ＵＬ）送信電力を調整／設定すると説明した。ＨｅＮＢ部は、Ｗｉ−Ｆｉ  ＡＰ部によって使用されるチャネル情報／電力（ステップＳ９１１で得られる）に依存するオフセットに基づいて、３ＧＰＰ  ＴＳ３６．３３１に述べられるような「ＰｅＭａｘ」の値を調整するように構成されてよいことが理解されるだろう。また、そうして計算されたＰｅＭａｘは、３ＧＰＰ  ＴＳ３６．１０１に規定される「ＰＣＭＡＸ」の値を計算するために使用されてよいことが理解されるだろう。
【０１０７】
さらに、ＨｅＮＢ部は、物理アップリンク共有チャネル（ＰＵＳＣＨ）に使用される電力（「ＰＰＵＳＣＨ」）を、例えば、（３ＧＰＰ  ＴＳ３６．２１３に従う）以下の式を用いて、導き出すように構成されてよい。
【数１】
0006477729.tif 000002
【０１０８】
ＨｅＮＢ部はまた、例えば、（３ＧＰＰ  ＴＳ３６．２１３に従う）以下の式を用いて、物理アップリンク制御チャネル（ＰＵＣＣＨ）に使用される出力（「ＰＰＵＣＣＨ」）を導き出すように構成されてよい。
【数２】
0006477729.tif 000003
【０１０９】
しかしながら、ＨｅＮＢ部は、ＡＰ部がそのチャネル情報／送信電力情報をＨｅＮＢ部に提供するか否かにかかわりなく、即ち、Ｗｉ−Ｆｉ  ＡＰ部から受信した何らかの情報を考慮することなしに、出力制御／調整を自動的に実行するように構成されてよいことが理解されるだろう。これは、例えば、ＬＴＥサービスがＷｉ−Ｆｉサービスより優先される場合である。ＨｅＮＢ部は、単にＮＭＭ測定／ＵＥ報告に基づいて、電力制御を行ってよいことが理解されるだろう。
【０１１０】
図８ａから図９ａ及び図１０ａから図１１を参照して説明した上記実施形態では、適切にフォーマットされたメッセージ（例えば、チャネル制限要求、電力情報要求、ＥＳＭへの入出通知などを）をＡＰ部へ、又は（例えば、操縦コマンドを）移動デバイスへ送信することにより、手続を開始するＨｅＮＢ部を述べた。しかしながら、ＡＰ部によるＨｅＮＢ部（又は移動デバイス）への適切にフォーマットされたメッセージの送信によって、同様の動作が（ＨｅＮＢ部の代わりに）ＡＰ部によって引き起こされてよいことがまた理解されるだろう。
【０１１１】
もしＨｅＮＢの現在の周波数がＩＤＣ干渉に影響されている（かつＨｅＮＢ部が別の周波数を使用できる）ならば、ＨｅＮＢ部は、いわゆるキャリア周波数再選択手順を実行するように構成されてよい。キャリア周波数再選択は、ＡＰ部及び／又は隣接するＨｅＮＢ部／Ｗｉ−Ｆｉ  ＡＰ部による送信が同時に存在するせいで、ＨｅＮＢ部が過度の干渉を受けるとき必要とされ得る。この場合、ＨｅＮＢ部が干渉状況を見積り、どのキャリア周波数が再選択を必要としているかを評価するために、ＨｅＮＢ部は、適切なＮＭＭ動作を実行し、ＡＰ部から（例えば、内部インタフェースを通じて）受信したＡＰのチャネルと関連する送信電力についての何らかの情報を使用するように構成されてよい。また、キャリア周波数の変更（再選択）に際し、ＨｅＮＢ部は、その新たに選択された動作周波数について共存するＷｉ−Ｆｉ  ＡＰ部へ知らせるように構成されてよく、それにより、もし新たなＨｅＮＢ動作周波数が、ＦＤＤバンド７の下の部分、ＴＤＤバンド４０の上の部分、及び／又はバンド４１の下の部分から離れているなら、何らかの制限をＡＰ部によって解除することができる。
【０１１２】
図１０ａ及び図１０ｂを参照して述べた実施形態において、ＨｅＮＢ部は、現在の省エネ状態（即ち、ＬＴＥ送信が一時中断されているか否か）について、適切な通知を送信することによってＩＳＭバンドのある部分を使用するように、ＡＰの制限を制御すると説明した。この実施形態の設計変更において、ＨｅＮＢ部は、また、ＬＴＥ無線送信が（一時中断の代わりに）オフされるか否かを、共通配置されたＡＰ部に通知してよいことが理解されるだろう。例えば、ＨｅＮＢ部は、ＨｅＭＳエンティティ等から受信したコマンド（例えば「無線送信オフ」コマンド）に応答して、そのＬＴＥトランシーバをオフさせるように要求されてもよい。ＨｅＮＢ部はまた、ＨｅＮＢ故障及び／又はＨｅＮＢの配置変更の場合に、（例えば、自動的に又はユーザ動作で）そのＬＴＥトランシーバのオフを要求されてもよい。そのような場合において、図１０ａ及び図１０ｂを参照して説明した手続は、省エネモードに入る／出るＨｅＮＢ部に送信される指示と同様に、ＨｅＮＢのＬＴＥトランシーバのオフとそれに続くオンについてＡＰ部に知らせるために適合されることが容易に理解されるだろう。
【０１１３】
上記実施形態において、ＬＴＥトランシーバと非ＬＴＥトランシーバとの両方が動作する一つのデバイス（デュアルＦＡＰ）に関して、干渉問題を述べた。しかしながら、実施形態は、複数のデバイス、例えば、ＬＴＥトランシーバを動作する一つのデバイスとＩＳＭトランシーバを動作する別のデバイスとを含む干渉問題に適用できることが理解されるだろう。また、実施形態は、現在進行中のＬＴＥ送信のない（けれども、例えば、他のデバイスによる干渉を受けるＩＳＭ送信を有する）デュアルＦＡＰに適用できる。
【０１１４】
干渉を軽減する少なくとも一つの動作は、
・前記基地局モジュール及び前記アクセスポイントモジュールの少なくとも一つにより動作されるチャネルを制限する動作；
・前記基地局モジュール及び前記アクセスポイントモジュールの少なくとも一つによって使用可能な送信電力を制限する動作；
・前記基地局モジュール及び前記アクセスポイントモジュールの少なくとも一つを介する通信をスケジュールする動作；
・前記基地局モジュール及び前記アクセスポイントモジュールの少なくとも一つによって使用されるキャリア周波数を再選択する動作；及び
・前記基地局モジュール及び前記アクセスポイントモジュールの少なくとも一つへ／一つからのトラフィックを操縦する動作、
のうちの少なくとも一つを有する。
【０１１５】
一つの可能性において、干渉を軽減するための連携動作は、前記基地局モジュール及び前記アクセスポイントモジュールの一方が、前記基地局モジュール及び前記アクセスポイントモジュールの他方に対して、前記基地局モジュール及び前記アクセスポイントモジュールの他方により動作されるチャネルを制限するための要求を、前記インタフェースを介して送信することを含んでよい。
【０１１６】
一つの可能性において、前記基地局モジュール及び前記アクセスポイントモジュールの前記他方が、前記要求に応じて前記チャネルを制限するとき、干渉を軽減するための前記少なくとも一つの動作は、前記基地局モジュール及び前記アクセスポイントモジュールの前記他方が、前記要求に応答して前記チャネルを通じた通信を制限することを含んでよい。
【０１１７】
一つの可能性において、前記基地局モジュール及び前記アクセスポイントモジュールの一方は、ｉ）少なくとも一つのチャネルにおける送信が一時中断される省エネモードに入るように；及びｉｉ）前記省エネモードにあるとき、前記省エネモードから出て前記少なくとも一つのチャネルで前記送信を再開するように、構成されてよい。この場合において、前記基地局モジュール及び前記アクセスポイントモジュールの他方は、ｉ）前記基地局モジュール及び前記アクセスポイントモジュールの前記一方が前記省エネモードに入るとき、前記少なくとも一つのチャネルに関する通信制限を解除するように；及びｉｉ）前記基地局モジュール及び前記アクセスポイントモジュールの前記一方が前記省エネモードを出るとき、前記少なくとも一つのチャネルに関して通信制限を強制するか再強制することを含む、干渉を軽減するための少なくとも一つの動作を実行するように、構成されてよい。
【０１１８】
一つの可能性において、前記基地局モジュール及び前記アクセスポイントモジュールの前記他方が前記チャネルを制限しないとき、前記基地局モジュール及び前記アクセスポイントモジュールの前記他方は、前記要求に基づいて、前記要求に対する応答を、前記インタフェースを介して、前記連携動作の一部として送信してもよい。この場合において、前記基地局モジュール及び前記アクセスポイントモジュールの前記一方は、前記応答に基づいて、前記基地局モジュール及び前記アクセスポイントモジュールの前記一方によって動作される少なくとも一つのチャネルを介した通信を制限することを含む、干渉を軽減するための動作を実行するように構成されてよい。
【０１１９】
一つの可能性において、前記基地局モジュール及び前記アクセスポイントモジュールの他方は、前記基地局モジュール及び前記アクセスポイントモジュールの前記他方が前記チャネルを制限しないとき、前記要求に基づいて、前記要求に対する応答を、前記インタフェースを介して、前記連携動作の一部として送信するように構成されてよく、かつ、前記基地局モジュール及び前記アクセスポイントモジュールの前記一方は、前記応答に基づいて、前記基地局モジュール及び前記アクセスポイントモジュールの前記一方の送信電力を制限することを含む、干渉を軽減するための動作を実行するように構成されてよい。
【０１２０】
一つの可能性において、前記基地局モジュール及び前記アクセスポイントモジュールの前記他方は、前記基地局モジュール及び前記アクセスポイントモジュールの前記他方が前記チャネルを制限しないとき、前記要求に基づいて、前記要求に対する応答を、前記インタフェースを介して、前記連携動作の一部として送信するように構成されてよく、かつ、前記基地局モジュール及び前記アクセスポイントモジュールの前記一方は、前記応答に基づいて、前記基地局モジュール及び前記アクセスポイントモジュールの前記一方を介しての通信を、前記干渉を避けるようにスケジューリングすることを含む、干渉を軽減するための動作を実行するように構成されてよい。
【０１２１】
一つの可能性において、連携動作は、前記基地局モジュールが、前記インタフェースを介して、前記アクセスポイントモジュールの負荷レベルを特定する情報を得ることを含み、干渉を軽減するための前記少なくとも一つの動作は、前記アクセスポイントモジュールの負荷レベルを特定する前記情報に基づく少なくとも一つの動作を含んでよい。この場合において、干渉を軽減するための前記少なくとも一つの動作は、前記アクセスポイントモジュールの負荷レベルを特定する前記情報に基づいて、前記基地局モジュール及び前記アクセスポイントモジュールの少なくとも一方へ／一方からの通信トラフィックを操縦することを含んでよい。
【０１２２】
一つの可能性において、連携動作は、前記インタフェースを介して、前記アクセスポイントによって動作される少なくとも一つのチャネルを特定する情報を得る前記基地局モジュールを有してよく、干渉を軽減するための前記少なくとも一つの動作は、前記アクセスポイントモジュールによって動作される少なくとも一つのチャネルを特定する前記情報に基づく少なくとも一つの動作を含んでよい。この場合において、前記少なくとも一つのチャネルを特定する前記情報に基づく少なくとも一つの動作は、前記アクセスポイントモジュールによって動作される少なくとも一つのチャネルを特定する前記情報に基づき、前記基地局モジュールによって使用されるキャリア周波数を再選択するのを含んでもよく、それにより干渉を軽減する。
【０１２３】
一つの可能性において、前記連携動作は、前記基地局モジュールが、前記インタフェースを介して、前記アクセスポイントモジュールによって動作される少なくとも一つのチャネルに関連する送信電力を特定する情報を得ることを有してよく、干渉を軽減するための前記少なくとも一つの動作は、送信電力を特定する前記情報に基づく少なくとも一つの動作を含んでよい。この場合において、送信電力を特定する前記情報に基づく前記少なくとも一つの動作は、送信電力を特定する前記情報に基づいて、前記基地局モジュールによって使用されるキャリア周波数を再選択することを含んでよい。一つの可能性において、干渉を軽減するための前記少なくとも一つの動作は、送信電力を特定する前記情報に基づいて、前記基地局モジュールと前記少なくとも一つの移動通信デバイスとの間の通信のための少なくとも一つの変更された送信電力を適用することを含んでよい。
【０１２４】
基地局モジュール及びアクセスポイントモジュールは、共通のハウジング内に搭載されてよい。通信装置は、デュアルモードフェムトアクセスポイントから成ってよい。基地局モジュールは、ロングタームエボリューション（ＬＴＥ）ファミリー標準規格に従い動作するホーム基地局から成ってよい。アクセスポイントモジュールは、米国電気電子学会（ＩＥＥＥ）による８０２．１１ファミリー標準規格に従い動作するアクセスポイントから成ってよい。
【０１２５】
様々な他の変更は、当業者にとって明らかであり、ここではさらに詳細な説明をしない。
【０１２６】
３ＧＰＰ用語集
ＡＰ    アクセスポイント
ＢＴ    ブルートゥース
ＤＲＸ    不連続受信
ｅＮＢ    発展型ノードＢ−基地局
Ｅ−ＵＴＲＡ    発展型ＵＭＴＳ地上無線アクセス
Ｅ−ＵＴＲＡＮ    発展型ＵＭＴＳ地上無線アクセスネットワーク
ＦＡＰ    フェムトアクセスポイント
ＦＤＭ    周波数分割多重
ＧＮＳＳ    グローバルナビゲーション衛星システム
ＧＰＳ    全地球測位システム
ＧＷ    ゲートウェイ
ＨｅＭＳ    ホームｅＮｏｄｅＢ管理システム
ＨｅＮＢ    ホーム基地局
ＩＤＣ    デバイス内共存
ＩＳＭ    産業、科学及び医療用（無線周波数帯）
ＬＴＥ    ロングタームエボリューション
ＭＭＥ    モビリティ管理エンティティ
ＲＡＴ    無線アクセス技術
ＲＲＣ    無線リソース制御
ＲＲＭ    無線リソース管理
ＳｅＧＷ    セキュリティゲートウェイ
ＳＩＲ    信号対干渉比
ＴＤＭ    時分割多重
ＵＥ    ユーザ機器
ＤＬ    ダウンリンク−基地局（デュアルＦＡＰ）から移動デバイスへのリンク
ＵＬ    アップリンク−移動デバイスから基地局（デュアルＦＡＰ）へのリンク
【０１２７】
この出願は、２０１４年６月１２日に出願された英国特願第１４１０５３８．１を基礎とする優先権を主張し、その開示の全てをここに取り込む。
【図１】
0006477729.tif 000004
【図２】
0006477729.tif 000005
【図３】
0006477729.tif 000006
【図４】
0006477729.tif 000007
【図５】
0006477729.tif 000008
【図６】
0006477729.tif 000009
【図７】
0006477729.tif 000010
【図８ａ】
0006477729.tif 000011
【図８ｂ】
0006477729.tif 000012
【図９ａ】
0006477729.tif 000013
【図９ｂ】
0006477729.tif 000014
【図１０ａ】
0006477729.tif 000015
【図１０ｂ】
0006477729.tif 000016
【図１０ｃ】
0006477729.tif 000017
【図１１】
0006477729.tif 000018
【図１２】
0006477729.tif 000019